【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
物質移動カラムで使用するための接触トレーであって、
全体的に平面のトレーデッキと、
前記トレーデッキに渡って分散された複数の弁であって、前記弁の各々は、前記トレーデッキを通じた流体の流れを可能にするように前記トレーデッキを通じて延在する開口、前記開口の周囲の周りで前記トレーデッキから上方に延在する堰、並びに前記開口及び前記堰の上で連結脚部によって支持される弁蓋を含む、複数の弁と、を備え、
前記連結脚部は、前記弁蓋の反対端において位置合わせされた第１及び第２の連結脚部を含み、
前記弁蓋は、前記開口の周囲全体を越えて外側に延在し、前記弁蓋の周囲全体を含む、下方に延在する周囲領域を有する、
接触トレー。
【請求項２】
前記弁は固定弁であり、前記連結脚部は、前記開口及び前記堰の上の固定位置において前記弁蓋を支持する、請求項１に記載の接触トレー。
【請求項３】
前記連結脚部の各々は、前記トレーデッキにおけるスロットを通じて延在し、前記トレーデッキの上面に対して係合する肩部、及び前記トレーデッキの下面に対して係合する前記肩部から事前選択された距離だけ間隔を空けられた上面を有するタブを含み、前記肩部と前記タブの前記上面との間の前記事前選択された距離は、前記連結脚部の前記肩部が前記トレーデッキの前記上面に係合し、前記タブの前記上面が前記トレーデッキの前記下面に対して係合するときに、前記連結脚部及び弁蓋の垂直の移動を防止するように選択される、請求項１に記載の接触トレー。
【請求項４】
前記連結脚部の各々は、前記トレーデッキにおけるスロットを通じて延在し、前記弁蓋が低くなった垂直位置と高くなった垂直位置との間で移動することを可能にするように前記トレーデッキにおけるスロットの内部で垂直に移動可能であり、前記連結脚部の各々は、前記弁蓋が前記高くなった垂直位置にあるときに、前記連結脚部の更なる垂直の移動を防止するように前記トレーデッキの下面に対して係合する上面を有するタブを含む、請求項１に記載の接触トレー。
【請求項５】
前記トレーの蓋の下面は、前記弁蓋が前記低くなった位置にあるときに前記堰に接触する、請求項４に記載の接触トレー。
【請求項６】
前記開口は円形であり、前記弁蓋は、前記弁蓋の反対の並列した第１及び第２の端にそれぞれ連結された第１及び第２の連結脚部を含む前記連結脚部を有する二等辺四辺形の形状にある、請求項１に記載の接触トレー。
【請求項７】
前記第１の連結脚部は、前記開口の前記最大寸法よりも広く、前記弁蓋の上流側に位置し、
前記第２の連結脚部は、前記第１の連結脚部よりも狭く、前記弁蓋の下流側に位置する、
請求項６に記載の接触トレー。
【請求項８】
前記第２の連結脚部は、それらに形成された脱気孔開口、及び、前記脱気開口部から張り出すよろい部を有する、請求項１に記載の接触トレー。
【請求項９】
物質移動カラムで使用するための接触トレーであって、
全体的に平面のトレーデッキと、
前記トレーデッキに渡って分散された複数の弁であって、前記弁の各々は、前記トレーデッキを通じた流体の流れを可能にするように前記トレーデッキを通じて延在する開口、前記開口の周囲全体の周りで前記トレーデッキから上方に延在する堰、弁蓋の反対端に配置された第１及び第２の連結脚部によって前記開口及び前記堰の上で支持される前記弁蓋、並びに前記連結脚部の１つにおいて形成される脱気孔開口を含む、複数の弁と、を備え、
前記弁蓋は、前記開口の周囲全体を越えて外側に延在し、前記弁蓋の周囲全体を含む、下方に延在する周囲領域を有する、接触トレー。
【請求項１０】
前記弁は固定弁であり、前記第１及び第２の連結脚部は、前記開口及び前記堰の上の固定位置において前記弁蓋を支持する、請求項９に記載の接触トレー。
【請求項１１】
前記連結脚部の各々は、前記トレーデッキにおけるスロットを通じて延在し、前記トレーデッキの上面に対して係合する肩部、及び前記トレーデッキの下面に対して係合する前記肩部から事前選択された距離だけ間隔を空けられた上面を有するタブを含み、前記肩部と前記タブの前記上面との間の前記事前選択された距離は、前記連結脚部の前記肩部が前記トレーデッキの前記上面に係合し、前記タブの前記上面が前記トレーデッキの前記下面に対して係合するときに、前記連結脚部及び弁蓋の垂直の移動を防止するように選択される、請求項１０に記載の接触トレー。
【請求項１２】
前記連結脚部の各々は、前記トレーデッキにおけるスロットを通じて延在し、前記弁蓋が低くなった垂直位置と高くなった垂直位置との間で移動することを可能にするように前記トレーデッキにおけるスロットの内部で垂直に移動可能であり、前記連結脚部の各々は、前記弁蓋が前記高くなった垂直位置にあるときに、前記連結脚部の更なる垂直の移動を防止するように前記トレーデッキの下面に対して係合する上面を有するタブを含む、請求項９に記載の接触トレー。
【請求項１３】
前記トレーの蓋の下面は、前記弁蓋が前記低くなった位置にあるときに前記堰に接触する、請求項１２に記載の接触トレー。
【請求項１４】
前記開口は円形であり、前記弁蓋は、前記弁蓋の反対の並列した第１及び第２の端にそれぞれ連結された第１及び第２の連結脚部を含む前記連結脚部を有する二等辺四辺形の形状にある、請求項９に記載の接触トレー。
【請求項１５】
前記第１の連結脚部は、前記開口の前記最大寸法よりも広く、前記弁蓋の上流側に位置し、
前記第２の連結脚部は、前記第１の連結脚部よりも狭く、前記弁蓋の下流側に位置し、
前記流体は、前記トレーデッキにわたって前記上流側から前記下流側へ流れ、
前記第２の連結脚部は、それらに形成された脱気孔開口、及び、前記脱気開口部から張り出すよろい部を有する、
請求項１４に記載の接触トレー。
【請求項１６】
物質移動カラムで使用するための接触トレーであって、
全体的に平面のトレーデッキと、
前記トレーデッキに渡って分散された複数の弁であって、前記弁の各々は、前記トレーデッキを通じた流体の流れを可能にするように前記トレーデッキを通じて延在する開口、前記開口の周囲全体の周りで前記トレーデッキから上方に延在する堰、弁蓋の反対端に配置された第１及び第２の連結脚部によって前記開口及び前記堰の上で支持される前記弁蓋、並びに前記連結脚部の１つにおいて形成される脱気孔開口を含む、複数の弁と、を備え、
前記開口は円形であり、前記弁蓋は、前記弁蓋の反対の並列した第１及び第２の端にそれぞれ連結された第１及び第２の連結脚部を含む前記連結脚部を有する二等辺四辺形の形状にあり、
前記弁蓋は、前記弁蓋の周囲全体を含む、下方に延在する周囲領域を有し、
前記弁蓋は、前記開口の周囲全体を越えて外側に延在し、
前記第１の連結脚部は、前記開口の最大の幅よりも広い幅を有し、前記弁蓋の上流側に位置し、
前記第２の連結脚部は、前記第１の連結脚部よりも狭く、前記弁蓋の下流側に位置し、
前記第２の連結脚部は、それらに形成された脱気孔開口、及び、前記脱気開口部から張り出すよろい部を有する、
接触トレー。
【請求項１７】
前記連結脚部の各々は、前記トレーデッキにおけるスロットを通じて延在し、前記トレーデッキの上面に対して係合する肩部、及び前記トレーデッキの下面に対して係合する前記肩部から事前選択された距離だけ間隔を空けられた上面を有するタブを含み、前記肩部と前記タブの前記上面との間の前記事前選択された距離は、前記連結脚部の前記肩部が前記トレーデッキの前記上面に係合し、前記タブの前記上面が前記トレーデッキの前記下面に対して係合するときに、前記連結脚部及び弁蓋の垂直の移動を防止するように選択される、請求項１６に記載の接触トレー。
【請求項１８】
前記連結脚部の各々は、前記トレーデッキにおけるスロットを通じて延在し、前記弁蓋が低くなった垂直位置と高くなった垂直位置との間で移動することを可能にするように前記トレーデッキにおけるスロットの内部で垂直に移動可能であり、前記連結脚部の各々は、前記弁蓋が前記高くなった垂直位置にあるときに、前記連結脚部の更なる垂直の移動を防止するように前記トレーデッキの下面に対して係合する上面を有するタブを含む、請求項１６に記載の接触トレー。
【請求項１９】
前記トレーの蓋の下面は、前記弁蓋が前記低くなった位置にあるときに前記堰に接触する、請求項１８に記載の接触トレー。